(57)【要約】【課題】  イヤーパッドをイヤホンに取り付けた状態で、センサーの検出感度を維持することができるイヤーパッドを提供する。【解決手段】  イヤホンの少なくとも一部を覆う披覆部と、イヤホンとの着脱用の開口を有し、かつ、前記披覆部と向かい合って前記披覆部に連結された支持部と、を備え、前記披覆部は、披覆部貫通孔を有し、前記披覆部貫通孔は、イヤホンに設けられた一のセンサー開口部と向かい合って、連通可能に形成されている。【選択図】  図４
2019033332.tif 000002
【特許請求の範囲】
【請求項１】
イヤホンの少なくとも一部を覆う披覆部と、
イヤホンとの着脱用の着脱用開口部を有し、かつ、前記披覆部と向かい合って前記披覆部に連結された支持部と、を備え、
前記披覆部は、披覆部貫通孔を有し、
前記披覆部貫通孔は、イヤホンに設けられた一のセンサーのための開口部と向かい合って連通可能に形成されているイヤーパッド。
【請求項２】
前記支持部は、支持部貫通孔を有し、
前記支持部貫通孔は、前記一のセンサーとは異なる他のセンサーのためにイヤホンに形成され開口部と向かい合って連通可能に形成された請求項１に記載のイヤーパッド。
【請求項３】
前記披覆部貫通孔の周囲に、イヤホンと係止可能な係止部材を有する請求項１に記載のイヤーパッド。
【請求項４】
前記披覆部貫通孔の周辺には、前記披覆部よりも強度が高い補強部を有する請求項１に記載のイヤーパッド。
【請求項５】
前記支持部貫通孔の周辺には、前記支持部よりも強度が高い補強部を有する請求項２に記載のイヤーパッド。
【発明の詳細な説明】
【技術分野】
【０００１】
イヤホンに装着可能なイヤーパッドに関する。
【背景技術】
【０００２】
イヤホンを被覆するためのイヤーパッドが知られている（例えば、特許文献１参照）。
【先行技術文献】
【特許文献】
【０００３】
【特許文献１】特開２０００−１３８９９０号公報
【発明の概要】
【発明が解決しようとする課題】
【０００４】
前述したイヤーパッドは、イヤホンの本体部分の全てを覆うものであった。近頃は、イヤホンは、無線通信を行うなどの各種の機能が備わってきており、様々なセンサーも搭載されるようになってきた。しかしながら、イヤーパッドによってイヤホンの本体部分の全てを覆ってしまうと、センサーの検出用の開口なども覆ってしまい、センサーの検出感度を低下させる要因になることが想定される。
【０００５】
本発明は、上述の点に鑑みてなされたものであり、その目的とするところは、イヤーパッドをイヤホンに取り付けた場合でも、センサーの検出感度を維持することができるイヤーパッドを提供することにある。
【課題を解決するための手段】
【０００６】
本発明によるイヤーパッドの特徴は、
イヤホンの少なくとも一部を覆う披覆部と、
イヤホンとの着脱用の着脱用開口部を有し、かつ、前記披覆部と向かい合って前記披覆部に連結された保持部と、を備え、
前記披覆部は、披覆部貫通孔を有し、
前記披覆部貫通孔は、イヤホンに設けられた一のセンサーのための開口部と向かい合って連通可能に形成されていることである。
【発明の効果】
【０００７】
イヤーパッドをイヤホンに取り付けた状態で、センサーの検出感度を維持することができる。
【図面の簡単な説明】
【０００８】
【図１】図１は、イヤーパッド１０の被覆部１００側の構造を示す斜視図である。
【図２】図２は、イヤーパッド１０の支持部２００側の構造を示す斜視図である。
【図３】図３は、イヤーパッド１０の支持部２００側から支持貫通孔２３０を介して被覆部１００の裏側の構成を示す平面図である。
【図４】図４Ａは、イヤーパッド１０の対象となるイヤホン５０の構造の概略を示す正面図であり、図４Ｂは、イヤーパッド１０をイヤホン５０に取り付けた状態を示す正面図である。
【発明を実施するための形態】
【０００９】
＜＜＜＜本実施の形態の概要＞＞＞＞
【００１０】
＜＜本実施の態様＞＞
本実施の態様によれば、
イヤホンの少なくとも一部を覆う披覆部（例えば、後述する被覆部１００など）と、
イヤホンとの着脱用の着脱用開口部（例えば、後述する支持貫通孔２３０など）を有し、かつ、前記披覆部と向かい合って前記披覆部に連結された支持部（例えば、後述する支持部２００など）と、を備え、
前記披覆部は、披覆部貫通孔（例えば、貫通孔１１０など）を有し、
前記披覆部貫通孔は、イヤホンに設けられた一のセンサーのための開口部と向かい合って連通可能に形成されているイヤーパッドが提供される。
【００１１】
イヤーパッドは、披覆部と支持部とを備える。披覆部は、イヤホンの少なくとも一部を覆う。支持部は、着脱用開口部を有する。着脱用開口部は、イヤホンとの着脱用に形成されている。支持部は、披覆部と向かい合うとともに、披覆部に連結されている。
【００１２】
披覆部及び支持部は、可撓性を有し、弾性変形可能なものが好ましい。イヤーパッドがイヤホンに取り付けられたときには、イヤホンの外形に応じた形状に変形することができる。また、披覆部は透音性を有し、イヤホンから出力された音声を遮ることなく通過させるものが好ましい。
【００１３】
また、本実施の態様において、
前記支持部は、支持部貫通孔（例えば、貫通孔２１０など）を有し、
前記披覆部貫通孔は、前記一のセンサーとは異なる他のセンサーのためにイヤホンに形成され開口部と向かい合って連通可能に形成されているのが好ましい。
【００１４】
さらに、本実施の態様において、
前記披覆部貫通孔の周囲に、イヤホンと係止可能な係止部材（例えば、保持部１３０など）を有するのが好ましい。
【００１５】
さらにまた、本実施の態様において、
前記披覆部貫通孔の周辺には、前記披覆部よりも強度が高い補強部（例えば、補強部１２０など）を有するのが好ましい。
【００１６】
さらにまた、本実施の態様において、
前記支持部貫通孔の周辺には、前記支持部よりも強度が高い補強部（例えば、補強部２２０など）を有するのが好ましい。
【００１７】
さらにまた、本実施の態様において、
イヤホンは、
空気を媒質とする縦波を通過させるための縦波用開口部（例えば、スピーカ開口部６２など）と、
光を含む電磁波を通過させるための横波用開口部（例えば、センサー開口部６４又は６６など）と、を有し、
イヤホンに取り付けられたときに、前記披覆部及び前記支持部によって覆われた領域において、前記縦波用開口部は、前記披覆部又は前記支持部によって覆われ、前記横波用開口部は、前記披覆部貫通孔及び前記支持部貫通孔との連通によって開放された状態となるのが好ましい。
【００１８】
さらにまた、本実施の態様において、
イヤホンは、
空気を媒質とする縦波を通過させるための縦波用開口部（例えば、スピーカ開口部６２など）と、
光を含む電磁波を通過させるための横波用開口部（例えば、センサー開口部６４又は６６など）と、を有し、
前記披覆部貫通孔及び支持部貫通孔は、縦波が通過可能な縦波用貫通孔を有し、
イヤホンに取り付けられたときに、前記披覆部及び前記支持部によって覆われた領域において、前記縦波用開口部は、前記縦波用貫通孔との連通によって開放された状態となり、前記横波用開口部は、前記披覆部貫通孔及び前記支持部貫通孔との連通によって開放された状態となるのが好ましい。
【００１９】
＜＜＜＜本実施の形態の詳細＞＞＞＞
以下に、実施の形態について図面に基づいて説明する。
【００２０】
＜＜＜イヤーパッド１０の対象となるイヤホン５０の構造の概要＞＞＞  
図４Ａは、イヤーパッド１０の対象となるイヤホン５０の構造の概略を示す正面図である。イヤホン５０は、本体部６０と、本体部６０から延出して形成された延出部８０とを有し、本体部６０は、スピーカ開口部６２とセンサー開口部６４及び６６とを有する。
【００２１】
＜スピーカ開口部６２＞
スピーカ開口部６２の裏側（イヤホン５０の内部）には、スピーカ（図示せず）が配置され、入力された電気信号に応じてスピーカの振動膜が振動し、音声信号が振動膜の振動に変換され、音声がスピーカ開口部６２から発せられる。
【００２２】
＜センサー開口部６４及び６６＞
センサー開口部６４の奥側（イヤホン５０の内部）には、第１の光学センサー６５（例えば、赤外線センサーなど））が配置され、センサー開口部６６の奥側（イヤホン５０の内部）には、第２の光学センサー６７が配置されている。センサー開口部６４及び６６は、本体部６０を挟んで互いに反対側の位置に形成されている。イヤホン５０の外部の光は、センサー開口部６４を介して第１の光学センサー６５に到達したり、センサー開口部６６を介して第２の光学センサー６７に到達したりすることができる。第１の光学センサー６５及び第２の光学センサー６７によって、イヤホン５０の周囲の明暗を検出することで、イヤホン５０が使用者の耳に装着されたか否かを判断することができる。例えば、第１の光学センサー６５及び第２の光学センサー６７の双方で暗くなったと検出したときに、イヤホン５０が使用者の耳に装着されたと判断することができる。
【００２３】
なお、センサーは、光学センサーのほか、加速度センサーやマイクなどの各種のセンサーを設けてもよい。センサーによって検出された信号に応じて、イヤホン５０の再生などの各種の制御をすることができるものであればよい。
【００２４】
＜＜＜イヤーパッド１０の構造＞＞＞
図１は、イヤーパッド１０の被覆部１００側の構造を示す斜視図である。図２は、イヤーパッド１０の支持部２００側の構造を示す斜視図である。後述するように、イヤーパッド１０は、弾性変形可能であり、図１及び図２は、変形していない非変形時の状態を示す斜視図である。
【００２５】
図１及び図２に示すように、イヤーパッド１０は、被覆部１００と支持部２００とを有する。被覆部１００及び支持部２００は、ウレタンなどの可撓性及び透音性を備える連続気泡構造を有する材料によって構成されている。イヤーパッド１０は、全体として、イヤホン５０の本体部６０よりも若干小さいか同程度の大きさを有する。被覆部１００及び支持部２００は、可撓性を有し、イヤホン５０に取り付けたときには、イヤホン５０の外形に応じて弾性変形して伸縮することができる。なお、被覆部１００及び支持部２００を互いに異なる材料で形成してもよい。さらに、イヤホン５０をケースなどに収納する場合に、被覆部１００及び支持部２００が弾性変形することで、イヤーパッド１０がケースと干渉しにくくすることができる。さらにまた、被覆部１００及び支持部２００は、シリコンなどのゴムによって構成してもよい。
【００２６】
＜＜被覆部１００＞＞
被覆部１００は、イヤーパッド１０がイヤホン５０に取り付けられたときに、主にイヤホン５０の外側を被覆する。
【００２７】
図１に示すように、被覆部１００は、略薄い円板状の形状を有する。被覆部１００の厚みは、１ｍｍ以下が好ましい。前述したように、被覆部１００は、可撓性を有し、イヤホン５０に取り付けたときには、イヤホン５０の本体部６０の外形に応じて弾性変形することができる。後述するように、被覆部１００は、支持部２００と境界部１５０で連結されている。境界部１５０は、被覆部１００と支持部２００との境界部分であり、被覆部１００の最外周部分（円周部分）であるとともに、支持部２００の最外周部分（円周部分）である。被覆部１００及び支持部２００の外形は、大よそ円板状の形状を有し、被覆部１００の最外周部分（円周部分）と支持部２００の最外周部分（円周部分）とは、略同じ大きさを有する。被覆部１００の最外周部分と支持部２００の最外周部分とは、全周に沿って連結され、境界部１５０を構成する。
【００２８】
このように、被覆部１００は、可撓性を有し、さらに、支持部２００と境界部１５０で連結されているため、変形していない非変形状態であっても、支持部２００に牽引されて境界部１５０に向かうに従って若干撓みやすくなる。図１では、実質的に円板状の形状を有する領域を破線の円Ｃ１（想像線）で囲んで示した。
【００２９】
＜貫通孔１１０＞＞
被覆部１００の略中央部には、貫通孔１１０が形成されている。貫通孔１１０は、非変形時で略円状（薄い円筒状）の形状を有する。貫通孔１１０は、センサー開口部６４と向かい合わせに配置されることで、センサー開口部との連通状態を形成し、センサー開口部６４の開放状態を維持する。被覆部１００によってセンサー開口部６４が被覆されることを防止することができる。
【００３０】
なお、貫通孔１１０を形成する位置は、被覆部１００の略中央部に限られず、イヤホン５０のセンサー開口部６４の位置に応じて適宜に定めればよい。また、貫通孔１１０の大きさ（直径など）は、イヤーパッド１０がイヤホン５０に取り付けられたときに、センサー開口部６４の大きさ（直径など）よりも大きくなるのが好ましい。前述したように、被覆部１００は、可撓性を有し、イヤホン５０に取り付けられたときに変形する。このため、非変形時では、貫通孔１１０の大きさ（直径など）は、センサー開口部６４の大きさ（直径など）よりも小さくてよいが、イヤーパッド１０がイヤホン５０に取り付けられたときには、変形により大きくなるようにするのが好ましい。
【００３１】
＜補強部１２０＞
貫通孔１１０の全周に沿って補強部１２０が形成されている。本実施の形態では、補強部１２０は、被覆部１００を構成する材料の密度が高く形成され、硬度が他の部分よりも高い部分である。被覆部１００に力が加えられた際に、補強部１２０によって力を分散させることで、貫通孔１１０の近くから被覆部１００が破損することを防止することができる。イヤーパッド１０がイヤホン５０に取り付けられたり外されたりするときには、被覆部１００に力が加えられて変形される。イヤーパッド１０の着脱作業が繰り返されるような場合であっても、補強部１２０を形成したことにより、被覆部１００を破損させにくくすることができる。
【００３２】
＜保持部１３０＞
図３に示すように、被覆部１００の裏側（イヤーパッド１０の内側）に保持部１３０が設けられている。図３は、イヤーパッド１０の支持部２００側から支持貫通孔２３０を介して被覆部１００の裏側の構成を示す平面図である。
【００３３】
具体的には、保持部１３０は、被覆部１００の裏側で、貫通孔１１０を周回するように配置されている。例えば、保持部１３０は、貫通孔１１０と同心状に配置される。保持部１３０は、貫通孔１１０の周囲の被覆部１００に粘着テープや接着剤などによって貼付されている。保持部１３０は、シリコンゴムなどの弾性体などからなる。保持部１３０の材質は、イヤーパッド１０がイヤホン５０に取り付けられている状態で、イヤーパッド１０がイヤホン５０に対して摺動し難い材料を適宜に選択すればよい。保持部１３０によって、イヤーパッド１０がイヤホン５０に対して摺動し難くすることで、イヤーパッド１０が変位することを防止し、イヤーパッド１０がイヤホン５０に取り付けられたときに、イヤーパッド１０のイヤホン５０に対する相対的な位置を一定に保つことができる。特に、貫通孔１１０とセンサー開口部との連通状態を維持することでき、光学センサーに明暗を適切に検出させることができる。
【００３４】
前述したように、保持部１３０は、貫通孔１１０を周回するように配置されている。このようにすることで、貫通孔１１０の周囲だけでなく、周辺も補強することができる。すなわち、貫通孔１１０は、補強部１２０によって周囲が補強されるとともに、保持部１３０によって周辺も補強され、イヤーパッド１０の着脱作業が繰り返される場合であっても、被覆部１００を破損させること防止することができる。
【００３５】
保持部１３０の位置は、被覆部１００の裏側の貫通孔１１０を周回する位置に限られず、イヤーパッド１０がイヤホン５０に対して摺動し難くできる位置であればよい。また、透音性を低下させないように、イヤーパッド１０がイヤホン５０に取り付けられたときに、スピーカ開口部６２と干渉しない位置に保持部１３０を取り付けるのが好ましい。
【００３６】
＜＜支持部２００＞＞
支持部２００は、境界部１５０において被覆部１００と連結して形成されている。被覆部１００と支持部２００とを当初から一体で形成しても、被覆部１００と支持部２００とを別体で形成した後に、境界部１５０を接合して一体化させてもよい。また、後述するように、支持部２００には、支持貫通孔２３０が形成されており、境界部１５０において支持部２００を被覆部１００と連結して形成することで、イヤーパッド１０の全体は、袋状の形状に形成される。
【００３７】
支持部２００は、イヤーパッド１０がイヤホン５０に取り付けられたときに、イヤホン５０を挟んで被覆部１００と向かい合うように配置される。被覆部１００と支持部２００とによってイヤホン５０を挟み込むようにして、イヤーパッド１０がイヤホン５０に取り付けられる。支持部２００は、イヤホン５０の本体部６０と係合して、イヤーパッド１０を掛止させる。
【００３８】
図２に示すように、支持部２００は、略薄い円板状の形状を有する。支持部２００の厚みも、被覆部１００と同様に１ｍｍ以下が好ましい。前述したように、被覆部１００は、可撓性を有し、イヤホン５０に取り付けたときには、イヤホン５０の外形に応じて弾性変形することができる。前述したように、支持部２００も、可撓性を有するとともに、被覆部１００と境界部１５０で連結されており、変形していない非変形状態であっても、被覆部１００に牽引されて境界部１５０に向かうに従って若干撓みやすくなる。図２では、実質的に円板状の形状を有する領域を破線の円Ｃ２（想像線）で囲んで示した。
【００３９】
＜支持貫通孔２３０＞
図２に示すように、支持部２００の略中央部には、支持貫通孔２３０が形成されている。支持貫通孔２３０は、非変形時に略円形状の形状を有する。支持貫通孔２３０の大きさ（直径）は、イヤーパッド１０を変形させてイヤホン５０の本体部６０を通過させて、本体部６０に取り付けることができればよい。また、支持貫通孔２３０の大きさ（直径）は、非変形時に、延出部８０の直径よりも大きい。イヤーパッド１０を本体部６０に取り付けた状態でも支持貫通孔２３０の周囲を非変形状態に戻すことで、経時変化を生じにくくし、支持貫通孔２３０の周囲の弾性力を維持させることができる。
【００４０】
支持部２００は、支持貫通孔２３０を中心に周回する形状を有し、支持貫通孔２３０の外周部と境界部１５０との間に延在する領域を有する。
【００４１】
＜＜貫通孔２１０＞＞
支持部２００には、貫通孔２１０が形成されている。貫通孔２１０は、センサー開口部と向かい合わせに配置されることで、センサー開口部との連通状態を形成し、センサー開口部を開放する。支持部２００によってセンサー開口部が被覆されることを防止することができる。
【００４２】
なお、貫通孔２１０を形成する位置は、イヤホン５０のセンサー開口部６６の位置に応じて適宜に定めればよい。また、貫通孔２１０の大きさ（直径など）は、イヤーパッド１０がイヤホン５０に取り付けられたときに、センサー開口部６６の大きさ（直径など）よりも大きくなるのが好ましい。前述したように、支持部２００は、可撓性を有し、イヤホン５０に取り付けられたときに変形する。このため、非変形時では、貫通孔２１０の大きさ（直径など）は、センサー開口部６６の大きさ（直径など）よりも小さくてよいが、イヤーパッド１０がイヤホン５０に取り付けられたときには、変形により大きくなるようにするのが好ましい。
【００４３】
＜＜補強部２２０＞＞
貫通孔２１０の全周に沿って補強部２２０が形成されている。本実施の形態では、補強部２２０は、支持部２００を構成する材料の密度が高くなるように形成され、硬度が他の部分よりも高い部分である。補強部２２０を形成したことにより、支持部２００に力が加えられた際に、補強部２２０によって力を分散させることで、貫通孔２１０の近くから支持部２００が破損することを防止することができる。イヤーパッド１０がイヤホン５０に取り付けられたり外されたりするときには、支持部２００に力が加えられて変形される。このようなイヤーパッド１０の着脱作業が繰り返されるような場合であっても、補強部１２０を形成したことにより、支持部２００を破損させにくくすることができる。
【００４４】
＜＜貫通孔１１０及び貫通孔２１０の形成＞＞
前述したように、被覆部１００及び支持部２００は、ウレタンなどの樹脂によって構成されている。貫通孔１１０及び貫通孔２１０を安定的に一定の位置に形成するためには、溶剤を用いて樹脂を溶融して形成するのが望ましい。被覆部１００及び支持部２００の所望する位置に、注射針のような先端に開口が形成されている針を穿通し、開口から溶剤を吐出させることで、周囲の樹脂を溶融させて、貫通孔１１０及び貫通孔２１０を形成することができる。
【００４５】
溶剤の種類や量は、樹脂の材質及び厚みや、貫通孔１１０及び貫通孔２１０の直径などに応じて適宜に決めればよい。さらに、溶融された樹脂を固化させることで、補強部１２０及び補強部２２０を形成することができる。なお、貫通孔１１０及び貫通孔２１０の形成は、化学的に形成する場合のほか、力学的、電気的、熱的な作用により適宜に形成することができる。
【００４６】
＜＜＜イヤーパッド１０の取り付け状態（使用状態）＞＞＞
前述したように、イヤーパッド１０の被覆部１００及び支持部２００は、弾性変形可能（伸縮可能）な材料で構成されており、イヤーパッド１０をイヤホン５０に着脱可能に取り付けることができる。図４Ｂは、イヤーパッド１０をイヤホン５０に装着した状態を示す斜視図である。
【００４７】
図４Ｂに示すように、イヤーパッド１０がイヤホン５０に取り付けられたときに、被覆部１００は、主にイヤホン５０の本体部６０の外側６８を被覆し、支持部は、主にイヤホン５０の本体部６０の内側７０に配置される。特に、被覆部１００は、スピーカ開口部６２の全体を被覆する。ここで、イヤホン５０の本体部６０の外側６８とは、本体部６０のうち、イヤホン５０が使用者の耳に装着されたときに、主に外側に位置づけられる部分である。また、イヤホン５０の本体部６０の内側７０とは、本体部６０のうち、イヤホン５０が使用者の耳に装着されたときに、主に内側（耳の内部側）に位置づけられる部分である。
【００４８】
イヤーパッド１０がイヤホン５０に取り付けられたときに、スピーカ開口部６２の全体が、被覆部１００及び支持部２００のいずれかの部分で覆われていればよく、必ずしも被覆部１００のみでスピーカ開口部６２の全体を覆う必要はない。また、境界部１５０がスピーカ開口部６２に位置して、被覆部１００の一部と支持部２００の一部との双方によって、スピーカ開口部６２の全体が覆われてもよい。
【００４９】
前述したように、イヤーパッド１０がイヤホン５０に取り付けられたときには、被覆部１００の貫通孔１１０は、センサー開口部６４と向かい合うように配置され、支持部２００の貫通孔２１０は、センサー開口部６６と向かい合うように配置される。具体的には、貫通孔１１０の領域にセンサー開口部６４が含まれるように貫通孔１１０を位置づけ、貫通孔２１０の領域にセンサー開口部６６が含まれるように貫通孔２１０を位置づけて、イヤーパッド１０をイヤホン５０に取り付ける。
【００５０】
このように、貫通孔１１０の領域にセンサー開口部６４が含まれるように貫通孔１１０を位置づけることで、センサー開口部６４を貫通孔１１０と連通させ、外部の光を遮ることなく、センサー開口部６４を介して第１の光学センサー６５に外部の光を的確に伝播させることができる。外部の光を第１の光学センサー６５に安定して伝播させることでイヤホン５０を確実に制御することができる。
【００５１】
同様に、貫通孔２１０の領域にセンサー開口部６６が含まれるように貫通孔２１０を位置づけることで、センサー開口部６６を貫通孔２１０と連通させ、外部の光を遮ることなく、センサー開口部６６を介して第２の光学センサー６７に外部の光を的確に伝播させることができる。外部の光を第２の光学センサー６７に安定して伝播させることでイヤホン５０を確実に制御することができる。
【００５２】
貫通孔１１０の領域にセンサー開口部６４が含まれるように貫通孔１１０を位置づけ、かつ、貫通孔２１０の領域にセンサー開口部６６が含まれるように貫通孔２１０を位置づけることで、センサー開口部６４を貫通孔１１０と連通させ、かつ、センサー開口部６６を貫通孔２１０と連通させた状態にするのが好ましい。このような状態にすることで、センサー開口部６４及びセンサー開口部６６が、被覆部１００や支持部２００によって覆われることなく開放された状態となり、第１の光学センサー６５と第２の光学センサー６７との双方が的確に光を検出できる状態を確保することで、第１の光学センサー６５及び第２の光学センサー６７をともに機能させ、イヤホン５０の装着状態などの状態を適格に判断することができる。
【００５３】
＜イヤホン５０の構成＞
イヤホン５０は、前述したスピーカ開口部６２などの音声出力用開口部の他に、マイクロフォンやノイズキャンセラー用の音声検出センサーなどの音声入力用開口部を有する構成も想定される。これらの音声出力用開口部及び音声入力用開口部（以下、音声用開口部と称する。）は、空気を媒質とする縦波を通過させるための開口部（縦波用開口部）である。さらに、イヤホン５０は、前述したセンサー開口部６４及びセンサー開口部６６も有する。これらは、光を含む電磁波（横波）を通過させるための開口部（横波用開口部）である。
【００５４】
このような構成を有するイヤホン５０にイヤーパッド１０を取り付けたときに、イヤーパッド１０（被覆部１００及び支持部２００）が覆われた領域内において、音声などの空気を媒質とする縦波を通過させるための縦波用開口部は、イヤーパッド１０によって覆われた状態となるのに対して、光を含む電磁波（横波）を通過させるための横波用開口部は、イヤーパッド１０に形成された貫通孔と連通し開放された状態となる。音声などの空気を媒質とする縦波は、縦波用開口部がイヤーパッド１０で覆われた状態であっても、劣化することなくイヤーパッド１０を通過することができる。一方、光を含む電磁波（横波）は、横波用開口部が貫通孔と連通して開放された状態となることで、貫通孔を介して、劣化することなくイヤーパッド１０を通過することができる。
【００５５】
なお、イヤーパッド１０の材質によっては、ゴム、例えば、シリコンゴムなどの透音性の優れないものもある。このような材質を採用した場合には、イヤホン５０にイヤーパッド１０を取り付けたときに、イヤーパッド１０（被覆部１００及び支持部２００）が覆われた領域内において、音声などの空気を媒質とする縦波を通過させるための縦波用開口部は、イヤーパッド１０に形成された縦波用貫通孔と連通し開放された状態となるとともに、光を含む電磁波（横波）を通過させるための横波用開口部も、イヤーパッド１０に形成された横波用貫通孔と連通し開放された状態となる。このようにすることで、透音性の優れない材質の場合には、音声などの空気を媒質とする縦波は、縦波用開口部が縦波用貫通孔と連通して開放された状態となることで、縦波用貫通孔を介して、劣化することなくイヤーパッド１０を通過することができる。さらに、光を含む電磁波（横波）は、横波用開口部が横波用貫通孔と連通して開放された状態となることで、横波用貫通孔を介して、劣化することなくイヤーパッド１０を通過することができる。
【００５６】
さらに、被覆部１００の裏側には保持部１３０が設けられている。保持部１３０は、シリコンゴムなど滑り難い材料によって構成され、イヤホン５０の本体部６０の表面と係止することで、イヤーパッド１０をイヤホン５０の本体部６０に対して一定の位置に位置づけることができる。
【００５７】
このように、イヤーパッド１０をイヤホン５０に対して一定の位置に位置づけることで、イヤホン５０が使用者の耳に装着される際や、装着されている状態においても、センサー開口部６４と貫通孔１１０との連通状態と、センサー開口部６６を貫通孔２１０との連通状態を維持することができる。これらの連通状態を維持することにより、外部の光を第１の光学センサー６５及び第２の光学センサー６７に安定して伝播させることができる。
【００５８】
＜＜＜本実施の形態の詳細＞＞＞
【００５９】
前述した例では、貫通孔１１０及び貫通孔２１０の２つの円状の貫通孔を形成する例を示したが貫通孔の形状や数や大きさは、これに限られず、連通状態を確保するセンサーの数や形状や配置や大きさに応じて決定すればよい。また、保持部１３０の位置や数や形状も、前述した例に限られず、イヤーパッド１０を一定の位置に保持でき、透音性を確保できるように決定すればよい。イヤーパッド１０の素材についても、透音性や感触や耐久性や加工性などを考慮して適宜に選択することができる。
【００６０】
本実施の形態によってイヤーパッド１０の構成及び機能を説明したが、この開示の一部をなす記載及び図面はこの発明を限定するものであると理解すべきでない。さらに、本発明は、ここでは記載していない様々な実施の形態等を含むことはもちろんである。
【符号の説明】
【００６１】
１０  イヤーパッド
５０  イヤホン、６０  本体部、６２  スピーカ開口部
６４、６６  センサー開口部
６５  第１の光学センサー、６７  第２の光学センサー
８０  把持部
１００  被覆部、１１０  貫通孔、１２０  補強部、１３０  保持部
１５０  
２００  支持部、２１０  貫通孔、２２０  補強部、２３０  支持貫通孔
【図１】
2019033332.tif 000003
【図２】
2019033332.tif 000004
【図３】
2019033332.tif 000005
【図４】
2019033332.tif 000006
【手続補正書】
【提出日】平成30年3月5日(2018.3.5)
【手続補正１】
【補正対象書類名】特許請求の範囲
【補正対象項目名】全文
【補正方法】変更
【補正の内容】
【特許請求の範囲】
【請求項１】
空気を媒質とする縦波を通過させるための縦波用開口部と、光を含む電磁波を通過させるための横波用開口部と、を有するイヤホンの少なくとも一部を覆う披覆部と、
イヤホンとの着脱用の着脱用開口部を有し、かつ、前記披覆部と向かい合って前記披覆部に連結された支持部と、を備え、
前記披覆部は、披覆部貫通孔を有し、
前記支持部は、支持部貫通孔を有し、
前記披覆部又は前記支持部は、縦波が通過可能な縦波用貫通孔をさらに有し、
前記イヤホンに取り付けられたときに、前記披覆部及び前記支持部によって覆われた領域において、前記縦波用開口部は、前記縦波用貫通孔との連通によって開放された状態となり、前記横波用開口部は、前記披覆部貫通孔及び前記支持部貫通孔との連通によって開放された状態となるイヤーパッド。
【請求項２】
空気を媒質とする縦波を通過させるための縦波用開口部と、光を含む電磁波を通過させるための横波用開口部と、を有するイヤホンの少なくとも一部を覆う披覆部と、
イヤホンとの着脱用の着脱用開口部を有し、かつ、前記披覆部と向かい合って前記披覆部に連結された支持部と、を備え、
前記披覆部は、披覆部貫通孔を有し、
前記支持部は、支持部貫通孔を有し、
前記イヤホンに取り付けられたときに、前記披覆部及び前記支持部によって覆われた領域において、前記縦波用開口部は、前記披覆部又は前記支持部によって覆われ、前記横波用開口部は、前記披覆部貫通孔及び前記支持部貫通孔との連通によって開放された状態となり、
前記披覆部貫通孔の周辺には、前記披覆部よりも強度が高い補強部を有し、前記補強部は、前記披覆部を構成する材料の密度が高いイヤーパッド。
【請求項３】
前記披覆部貫通孔の周囲に、イヤホンと係止可能な係止部材を有する請求項１又は２に記載のイヤーパッド。
【請求項４】
前記披覆部貫通孔の周辺には、前記披覆部よりも強度が高い補強部を有する請求項１ないし３のいずれかに記載のイヤーパッド。
【手続補正２】
【補正対象書類名】明細書
【補正対象項目名】００１７
【補正方法】変更
【補正の内容】
【００１７】
さらにまた、本実施の態様において、
空気を媒質とする縦波を通過させるための縦波用開口部（例えば、スピーカ開口部６２など）と、光を含む電磁波を通過させるための横波用開口部（例えば、センサー開口部６４又は６６など）と、を有するイヤホンの少なくとも一部を覆う披覆部と、
イヤホンとの着脱用の着脱用開口部を有し、かつ、前記披覆部と向かい合って前記披覆部に連結された支持部と、を備え、
前記披覆部は、披覆部貫通孔を有し、
前記支持部は、支持部貫通孔を有し、
前記イヤホンに取り付けられたときに、前記披覆部及び前記支持部によって覆われた領域において、前記縦波用開口部は、前記披覆部又は前記支持部によって覆われ、前記横波用開口部は、前記披覆部貫通孔及び前記支持部貫通孔との連通によって開放された状態となり、
前記披覆部貫通孔の周辺には、前記披覆部よりも強度が高い補強部を有し、前記補強部は、前記披覆部を構成する材料の密度が高いのが好ましい。
【手続補正３】
【補正対象書類名】明細書
【補正対象項目名】００１８
【補正方法】変更
【補正の内容】
【００１８】
さらにまた、本実施の態様において、
空気を媒質とする縦波を通過させるための縦波用開口部（例えば、スピーカ開口部６２など）と、光を含む電磁波を通過させるための横波用開口部（例えば、センサー開口部６４又は６６など）と、を有するイヤホンの少なくとも一部を覆う披覆部と、
イヤホンとの着脱用の着脱用開口部を有し、かつ、前記披覆部と向かい合って前記披覆部に連結された支持部と、を備え、
前記披覆部は、披覆部貫通孔を有し、
前記支持部は、支持部貫通孔を有し、
前記披覆部又は前記支持部は、縦波が通過可能な縦波用貫通孔をさらに有し、
前記イヤホンに取り付けられたときに、前記披覆部及び前記支持部によって覆われた領域において、前記縦波用開口部は、前記縦波用貫通孔との連通によって開放された状態となり、前記横波用開口部は、前記披覆部貫通孔及び前記支持部貫通孔との連通によって開放された状態となるのが好ましい。
【手続補正書】
【提出日】平成30年6月11日(2018.6.11)
【手続補正１】
【補正対象書類名】特許請求の範囲
【補正対象項目名】全文
【補正方法】変更
【補正の内容】
【特許請求の範囲】
【請求項１】
空気を媒質とする縦波を通過させるための縦波用開口部と、光を含む電磁波を通過させるための横波用開口部と、を有するイヤホンの少なくとも一部を覆う披覆部と、
イヤホンとの着脱用の着脱用開口部を有し、かつ、前記披覆部と向かい合って前記披覆部に連結された支持部と、を備え、
前記披覆部は、披覆部貫通孔を有し、
前記支持部は、支持部貫通孔を有し、
前記披覆部又は前記支持部は、縦波が通過可能な縦波用貫通孔をさらに有し、
前記イヤホンに取り付けられたときに、前記披覆部及び前記支持部によって覆われた領域において、前記縦波用開口部は、前記縦波用貫通孔との連通によって開放された状態となり、前記横波用開口部は、前記披覆部貫通孔及び前記支持部貫通孔との連通によって開放された状態となり、
前記披覆部貫通孔の周囲に、イヤホンと係止可能な係止部材を有するイヤーパッド。
【請求項２】
空気を媒質とする縦波を通過させるための縦波用開口部と、光を含む電磁波を通過させるための横波用開口部と、を有するイヤホンの少なくとも一部を覆う披覆部と、
イヤホンとの着脱用の着脱用開口部を有し、かつ、前記披覆部と向かい合って前記披覆部に連結された支持部と、を備え、
前記披覆部は、披覆部貫通孔を有し、
前記支持部は、支持部貫通孔を有し、
前記イヤホンに取り付けられたときに、前記披覆部及び前記支持部によって覆われた領域において、前記縦波用開口部は、前記披覆部又は前記支持部によって覆われ、前記横波用開口部は、前記披覆部貫通孔及び前記支持部貫通孔との連通によって開放された状態となり、
前記披覆部貫通孔の周辺には、前記披覆部よりも強度が高い補強部を有し、前記補強部は、前記披覆部を構成する材料の密度が高いイヤーパッド。
【請求項３】
前記披覆部貫通孔の周囲に、イヤホンと係止可能な係止部材を有する請求項２に記載のイヤーパッド。
【請求項４】
空気を媒質とする縦波を通過させるための縦波用開口部と、光を含む電磁波を通過させるための横波用開口部と、を有するイヤホンの少なくとも一部を覆う披覆部と、
イヤホンとの着脱用の着脱用開口部を有し、かつ、前記披覆部と向かい合って前記披覆部に連結された支持部と、を備え、
前記披覆部は、披覆部貫通孔を有し、
前記支持部は、支持部貫通孔を有し、
前記披覆部又は前記支持部は、縦波が通過可能な縦波用貫通孔をさらに有し、
前記イヤホンに取り付けられたときに、前記披覆部及び前記支持部によって覆われた領域において、前記縦波用開口部は、前記縦波用貫通孔との連通によって開放された状態となり、前記横波用開口部は、前記披覆部貫通孔及び前記支持部貫通孔との連通によって開放された状態となり、
前記披覆部貫通孔の周辺には、前記披覆部よりも強度が高い補強部を有するイヤーパッド。
【手続補正２】
【補正対象書類名】明細書
【補正対象項目名】００１７
【補正方法】変更
【補正の内容】
【００１７】
さらにまた、本実施の態様において、
空気を媒質とする縦波を通過させるための縦波用開口部（例えば、スピーカ開口部６２など）と、光を含む電磁波を通過させるための横波用開口部（例えば、センサー開口部６４又は６６など）と、を有するイヤホンの少なくとも一部を覆う披覆部と、
イヤホンとの着脱用の着脱用開口部を有し、かつ、前記披覆部と向かい合って前記披覆部に連結された支持部と、を備え、
前記披覆部は、披覆部貫通孔を有し、
前記支持部は、支持部貫通孔を有し、
前記イヤホンに取り付けられたときに、前記披覆部及び前記支持部によって覆われた領域において、前記縦波用開口部は、前記披覆部又は前記支持部によって覆われ、前記横波用開口部は、前記披覆部貫通孔及び前記支持部貫通孔との連通によって開放された状態となり、
前記披覆部貫通孔の周辺には、前記披覆部よりも強度が高い補強部を有し、前記補強部は、前記披覆部を構成する材料の密度が高いのが好ましい。
【手続補正３】
【補正対象書類名】明細書
【補正対象項目名】００１８
【補正方法】変更
【補正の内容】
【００１８】
さらにまた、本実施の態様において、
空気を媒質とする縦波を通過させるための縦波用開口部（例えば、スピーカ開口部６２など）と、光を含む電磁波を通過させるための横波用開口部（例えば、センサー開口部６４又は６６など）と、を有するイヤホンの少なくとも一部を覆う披覆部と、
イヤホンとの着脱用の着脱用開口部を有し、かつ、前記披覆部と向かい合って前記披覆部に連結された支持部と、を備え、
前記披覆部は、披覆部貫通孔を有し、
前記支持部は、支持部貫通孔を有し、
前記披覆部又は前記支持部は、縦波が通過可能な縦波用貫通孔をさらに有し、
前記イヤホンに取り付けられたときに、前記披覆部及び前記支持部によって覆われた領域において、前記縦波用開口部は、前記縦波用貫通孔との連通によって開放された状態となり、前記横波用開口部は、前記披覆部貫通孔及び前記支持部貫通孔との連通によって開放された状態となり、
前記披覆部貫通孔の周囲に、イヤホンと係止可能な係止部材を有するのが好ましい。
また、本実施の態様において、
空気を媒質とする縦波を通過させるための縦波用開口部と、光を含む電磁波を通過させるための横波用開口部と、を有するイヤホンの少なくとも一部を覆う披覆部と、
イヤホンとの着脱用の着脱用開口部を有し、かつ、前記披覆部と向かい合って前記披覆部に連結された支持部と、を備え、
前記披覆部は、披覆部貫通孔を有し、
前記支持部は、支持部貫通孔を有し、
前記披覆部又は前記支持部は、縦波が通過可能な縦波用貫通孔をさらに有し、
前記イヤホンに取り付けられたときに、前記披覆部及び前記支持部によって覆われた領域において、前記縦波用開口部は、前記縦波用貫通孔との連通によって開放された状態となり、前記横波用開口部は、前記披覆部貫通孔及び前記支持部貫通孔との連通によって開放された状態となり、
前記披覆部貫通孔の周辺には、前記披覆部よりも強度が高い補強部を有するのが好ましい。